(57)【要約】【課題】ＵＳＢ機器と無線機器を接続する画像処理装置において、ＵＳＢ機器がＵＳＢ３．０で動作する際に発生する高周波ノイズにより、２．４ＧＨｚ帯の無線ＬＡＮ（ＷＬＡＮなど）などの無線機器に電磁波の干渉を引き起こすおそれがある。【解決手段】ＵＳＢインターフェースと無線インターフェースを備えた画像処理装置において、ＵＳＢインターフェースにＵＳＢ機器が接続された際、接続されたＵＳＢ機器の設置を推奨する場所あるいは禁止する場所を通知する。これにより、無線機器の通信が不安定となる問題を事前に回避することが可能となる。【選択図】図９
2019181868.tif 000002
【特許請求の範囲】
【請求項１】
ＵＳＢインターフェース及び無線ＬＡＮインターフェースを備えた画像処理装置において、
前記ＵＳＢインターフェースにＵＳＢ機器が接続されたことを検知する検知手段と、
接続された前記ＵＳＢ機器の設置場所に関する情報を通知する通知手段を備える
ことを特徴とする画像処理装置。
【請求項２】
前記設置場所に関する情報が、接続された前記ＵＳＢ機器の設置を推奨する場所あるいは禁止する場所である
ことを特徴とする請求項１に記載の画像処理装置。
【請求項３】
ＵＳＢ規格に対応するバス速度で前記ＵＳＢ機器を動作させる手段を有し、
前記通知手段は、前記バス速度における前記ＵＳＢ機器の動作により、前記無線ＬＡＮインターフェースの動作に影響があると判断された場合、前記ＵＳＢ機器の設置を推奨する場所あるいは禁止する場所を通知する
ことを特徴とする請求項１または２に記載の画像処理装置。
【請求項４】
前記通知手段は、前記無線ＬＡＮインターフェースが有効である判断された場合、前記ＵＳＢ機器の設置を推奨する場所あるいは禁止する場所を通知する
ことを特徴とする請求項１から３のいずれか１項に記載の画像処理装置。
【請求項５】
前記ＵＳＢインターフェースに接続されるＵＳＢ機器の機器情報を取得する取得手段を有し、
前記通知手段は、前記取得手段が取得した前記ＵＳＢ機器の種類に応じて、前記ＵＳＢ機器の設置を推奨する場所あるいは禁止する場所を通知する
ことを特徴とする請求項１から４のいずれか１項に記載の画像処理装置。
【請求項６】
前記ＵＳＢインターフェースに接続されるＵＳＢ機器の機器情報を取得する取得手段を有し、
前記通知手段は、新たに接続されたＵＳＢ機器の種類が、すでに接続されているＵＳＢ機器の種類と異なる場合、新たに接続された前記ＵＳＢ機器の設置を推奨する場所あるいは禁止する場所を通知する
ことを特徴とする請求項１から５のいずれか１項に記載の画像処理装置。
【請求項７】
前記通知手段は、新たに接続されたＵＳＢ機器の種類が、すでに接続されているＵＳＢ機器の種類と同じ場合、新たに接続された前記ＵＳＢ機器の設置を推奨する場所あるいは禁止する場所を通知しない
ことを特徴とする請求項６に記載の画像処理装置。
【請求項８】
前記通知手段は、前記バス速度における前記ＵＳＢ機器の動作により、前記無線ＬＡＮインターフェースの動作に影響がないと判断された場合、前記ＵＳＢ機器の設置を推奨する場所あるいは禁止する場所を通知しない
ことを特徴とする請求項３から７のいずれか１項に記載の画像処理装置。
【請求項９】
ＵＳＢインターフェース及び無線ＬＡＮインターフェースを備えた画像処理装置の制御方法であって、
前記ＵＳＢインターフェースにＵＳＢ機器が接続されたことを検知する工程と、
接続された前記ＵＳＢ機器の設置場所に関する情報を通知する工程を備える
ことを特徴とする画像処理装置の制御方法。
【請求項１０】
請求項９に記載された画像処理装置の制御方法をコンピュータにより実行させるためのプログラム。
【発明の詳細な説明】
【技術分野】
【０００１】
本発明は、無線ＬＡＮとＵＳＢ機器を利用することができる画像処理装置に関するものである。
【背景技術】
【０００２】
従来から、電子機器間を接続する手段として、ＵＳＢ（Universal Serial Bus）接続が普及している。ＵＳＢが普及したことに伴い、画像処理装置であるプリンタ等にもＵＳＢホストインターフェースが搭載されるようになってきている。
例えば、プリンタにおいて、ＩＣ（Integrated Circuit）カードリーダといったＵＳＢ機器がＵＳＢインターフェースを介してプリンタに装着されると、認証印刷等が実行可能となり、プリンタの機能が拡張される。また、ＵＳＢにおいては、より高速にデータを転送するために、ＵＳＢ３．０規格のインターフェースで動作するＵＳＢ機器を装着する場合が増えつつある。
【０００３】
ところで、画像処理装置は、コンピュータ（ＰＣ）の他に、タブレット端末やスマートフォンのような携帯式電子機器とも簡単に接続可能とするために、無線ＬＡＮ（ＷＬＡＮ）などの無線通信のための装置とアンテナを装備している。
このような環境のなか、ＵＳＢ３．０規格のインターフェースで動作するＵＳＢ機器は、２．４ＧＨｚ帯の無線ＬＡＮなどの無線装置のアンテナと電磁波が干渉することが知られている。
【０００４】
このような問題があるため、タブレット端末にＵＳＢメモリキーを接続させて使用する場合、ＵＳＢメモリキーが動作中に電磁波を放射して、無線ＬＡＮのアンテナにノイズをもたらす場合がある。
こうした影響がないように、素子長、ＵＳＢメモリキーからの距離や偏波方向などのパラメータに基づいて、ＵＳＢメモリキーの指向特性を変えるアンテナとして構成されるノイズ緩和器を設けることが知られている。特許文献１には、ノイズ緩和器をＵＳＢメモリキーの近辺に配置して、ノイズレベルを低減する方法が開示されている。
【先行技術文献】
【特許文献】
【０００５】
【特許文献１】特開２０１６−２５５３８号公報
【発明の概要】
【発明が解決しようとする課題】
【０００６】
上述のように、画像処理装置であるプリンタにおいて、機能を拡張させるためにプリンタに備わっているＵＳＢホストインターフェースに、ＵＳＢ機器を装着させることがある。装着するＵＳＢ機器としては、例えば、プリンタに備わっている表示部とは別に、表示部の機能拡張として、大画面化やタッチパネル化を実現するためのタッチディスプレイなどを装着させることがある。また、プリンタ使用時に認証を行うために、カードリーダや指紋読取り装置などの認証装置などを装着させることもある。
前述のＵＳＢ機器は一例であり、機能を拡張するために装着するＵＳＢ機器は複数多種に渡る。そのため、使用者が拡張したい機能にあわせて機器を選択し、装着することとなる。
【０００７】
このように、接続されるＵＳＢ機器は一つの機器に限られない。さらに、装置間において、高速データ伝送に対応するために、ＵＳＢ３．０規格のインターフェースへの対応も必要となっている。
【０００８】
このような状況の中で、プリンタの使用者は機能を拡張するために装着したＵＳＢ機器を使い易いように、または、置き易い場所に設置することが想定される。そのため、設置場所によっては、ＵＳＢ機器がＵＳＢ３．０で動作する際に発生するノイズにより、２．４ＧＨｚ帯の無線ＬＡＮなどの無線装置のアンテナに電磁波の干渉を引き起こすおそれがある。これにより、無線装置の通信速度の低下や、通信の遮断という問題が発生するおそれがある。
【課題を解決するための手段】
【０００９】
本発明は、ＵＳＢインターフェース及び無線ＬＡＮインターフェースを備えた画像処理装置であって、前記ＵＳＢインターフェースにＵＳＢ機器が接続されたことを検知する検知手段と、接続された前記ＵＳＢ機器の設置場所に関する情報を通知する通知手段を備えることを特徴とする。
【発明の効果】
【００１０】
本発明によれば、画像処理装置内に備わった無線機器の動作に影響しない場所にＵＳＢ機器を配置するよう使用者に促すことができる。これにより、無線機器の通信が不安定となる問題を事前に回避することが可能となる。
【図面の簡単な説明】
【００１１】
【図１】画像処理システムの構成図である。
【図２】プリンタのハードウェア構成図である。
【図３】プリンタに装着される各部材の配置構成である。
【図４】実施例１のフローチャートである。
【図５】実施例２のフローチャートである。
【図６】実施例３のフローチャートである。
【図７】実施例４のフローチャートである。
【図８】実施例５のフローチャートである。
【図９】ＵＳＢ機器の設置場所を示すメッセージの例である。
【図１０】無線ＬＡＮを設定する際の表示例である。
【発明を実施するための形態】
【００１２】
以下、本発明を実施するための実施例について図面を用いて説明する。
なお、以下の実施例の説明においては、画像処理装置として印刷処理装置（プリンタ）を用いる。但し、本発明の画像処理装置は、印刷処理装置に限定されないことは言うまでもない。
【００１３】
図１は、印刷処理装置（プリンタ１０１０）を含む画像処理システムの構成図である。
プリンタ１０１０は、ＵＳＢインターフェース１０３０を介して、さまざまなＵＳＢ機器３０００類と接続が可能である。
また、プリンタ１０１０は、無線ＬＡＮインターフェースである無線ＬＡＮアンテナ２１１０も備えている。無線ＬＡＮを経由して、外部装置であるタブレット端末４０６０、スマートフォン４０４０、ＰＣ４０１０などと接続される。
なお、本発明は、画像処理装置に限られず、無線ＬＡＮインターフェースとＵＳＢインターフェースを備えた情報処理装置であれば、他の情報処理装置にも適用することができる。
【００１４】
図２は、図１に示した画像処理システムに用いられる、プリンタ１０１０のハードウェア構成図である。
プリンタ１０１０は、コントローラボード２０００、プリンタエンジン２０７０、操作パネル２１２０などの部分から構成される。これら各部がそれぞれ連動し、印刷処理の機能を実現する。
プリンタエンジン２０７０は、用紙への印刷データの印刷を実行する。
操作パネル２１２０は、各種設定の操作、表示部（不図示）へのメッセージなどの表示、などの機能を受け持つ。
コントローラボード２０００内のＣＰＵ２０１０は、プリンタ１０１０全体を制御するものであり、コントローラボード２０００内の各部とシステムバス２１７０を介して接続される。
【００１５】
コントローラボード２０００は、各外部インターフェースを介して、外部との通信を行う。
ネットワークＩ／Ｆ２１５０は、ＬＡＮ  Ｉ／Ｆコネクタを介して、ＬＡＮに接続し、ＰＣなどとネットワーク通信を行う。
ＵＳＢ（Ａ）Ｉ／Ｆ２１３０は、ＵＳＢコネクタを介して、さまざまなＵＳＢ機器３０００と接続し、ＵＳＢ通信を行う。
ＵＳＢ（Ｂ）Ｉ／Ｆ２１４０は、ＵＳＢコネクタを介して、ＰＣとローカル接続し、ＵＳＢ通信を行う。
無線ＬＡＮ  Ｉ／Ｆ２１００は、無線ＬＡＮアンテナ２１１０を介して、無線ＬＡＮ通信を行う。
プリンタエンジン２０７０は、エンジンＩ／Ｆ２０６０を介して、コントローラボード２０００とデータ通信を行う。
操作パネル２１２０は、システムバス２１７０を介して、コントローラボード２０００とデータ通信を行う。
【００１６】
また、コントローラボード２０００は、ＣＰＵ２０１０、ＲＡＭ２０２０、ＲＯＭ２０３０、記憶装置２０４０、画像処理部２０５０を備える。
ＲＯＭ２０３０は、ブートＲＯＭであり、プリンタ１０１０のブートプログラムを格納している。
ＲＡＭ２０２０は、ＣＰＵ２０１０が動作するためのシステムワークメモリであり、ＣＰＵ２０１０の演算データや各種プログラムを記憶する。また、ＲＡＭ２０２０は、印刷時などに画像処理部２０５０で種々の画像処理が実行された画像データを保持する、画像メモリとしても利用される。
記憶装置２０４０は、サイズの大きなプログラムやデータを保存しておくための不揮発性の２次記憶装置である。保存してあるサイズの大きなプログラムやデータは、ＲＡＭ２０２０に展開されて、使用される。
【００１７】
次に、図３を用いて、図２に示したようなハードウェア構成を有するプリンタ１０１０に装着される各部材の配置について説明する。
無線ＬＡＮ部分は、無線ＬＡＮ  Ｉ／Ｆ２１００と、無線ＬＡＮアンテナ２１１０などを一体化した、無線ＬＡＮモジュール２１１１として、プリンタ１０１０内部に配置される。そのため、基本的には、使用者は無線ＬＡＮの配置場所を意識する必要はない。
しかし、プリンタ１０１０の機能を拡張させるために、ＵＳＢ（Ａ）Ｉ／Ｆ２１３０に、ＵＳＢ機器３０００を接続させる場合がある。この場合、ＵＳＢ機器３０００の位置関係によっては電磁波の干渉の影響を受ける可能性がある。そのため、ＵＳＢ機器３０００を接続する時には、無線モジュール２１１１の動作に影響がないように、その設置場所を十分に注意する必要がある。
【実施例１】
【００１８】
まず、図４のフローチャートを用いて、実施例１について説明する。
図４は、プリンタ１０１０にＵＳＢ機器３０００が接続された際に、プリンタ１０１０が行う制御方法についてのフローチャートである。本処理は、ＣＰＵ２０１０がＲＯＭ２０３０などに格納されたプログラムを読み出して実行することにより実現される。
【００１９】
プリンタ１０１０にＵＳＢ機器３０００が接続されると、Ｓ４０１において、ＣＰＵ２０１０は、ＵＳＢ機器が接続されたことを検知する。
そして、Ｓ４０２において、ＣＰＵ２０１０は、接続されたＵＳＢ機器が３．０規格に対応する機器であるか否かを判定する。
接続されたＵＳＢ機器３０００がＵＳＢ規格であるＵＳＢ３．０に対応する機器であれば、それに対応したバス速度で動作させる。
【００２０】
さらに、ＵＳＢ３．０で動作させる場合、Ｓ４０３において、ＣＰＵ２０１０は、操作パネル２１２０に備えられた表示部に、接続されたＵＳＢ機器３０００の設置場所に関する情報を通知させる。
通知の態様としては、例えば図９（ａ）に示されるように、「接続したＵＳＢ機器は、点線で示す場所に設置してください」というメッセージとともに、印刷装置に対する推奨設置場所を具体的に示す図をあわせて表示させる。
【００２１】
なお、Ｓ４０１において、ＵＳＢ機器３０００の接続を検知しない場合、Ｓ４０４において、ＣＰＵ２０１０は、操作パネル２１２０の表示部には特にＵＳＢ機器３０００の推奨設置場所を表示させることなく、通常の動作を実行する。
また、ＵＳＢ機器３０００が接続されても、Ｓ４０２において、ＵＳＢ３．０に対応したバス速度で動作させない場合も、ＣＰＵ２０１０は、操作パネル２１２０の表示部に特にＵＳＢ機器３０００の推奨設置場所を表示させることなく、通常の動作を実行する。
【実施例２】
【００２２】
次に、図５のフローチャートを用いて、実施例２について説明する。
本処理も、ＣＰＵ２０１０がＲＯＭ２０３０などに格納されたプログラムを読み出して実行することにより実現される。
【００２３】
まず、Ｓ５０１において、ＣＰＵ２０１０は、プリンタ１０１０に備わっている無線ＬＡＮ  Ｉ／Ｆ２１００の状態が有効であるか否かを判定する。
無線ＬＡＮの設定は、使用者が操作パネル２１２０に備わっているキーボタンを押下し、表示内容にしたがって行うことができる。
【００２４】
図１０は、無線ＬＡＮの設定を行うときの、操作パネル２１２０に表示される画面の遷移の一例を示すものである。
例えば、使用者が操作パネル２０１０を操作し、表示部に、図１０（ａ）に示される設定メニューを表示させる。設定メニューにおいて「インターフェース」を選択すると、表示部は、図１０（ｂ）に示されるインターフェース設定の画面に切り替わる。インターフェース設定の画面において、「無線ＬＡＮ」を選択すると、表示部は図１０（ｃ）に示される無線ＬＡＮ設定の画面に切り替わる。この画面において「有効」を選択することにより、無線ＬＡＮを設定することができる。
【００２５】
Ｓ５０１で無線ＬＡＮ  Ｉ／Ｆ２１００の状態が有効である場合、Ｓ５０２において、ＣＰＵ２０１０は、プリンタ１０１０にＵＳＢ機器３０００が接続されているか否かの検知を行う。
接続が検知された後の処理（Ｓ５０３、Ｓ５０４）は、図４のフローチャート（Ｓ４０２、Ｓ４０３）と同様であるため、説明は省略する。
【００２６】
なお、Ｓ５０１において、プリンタ１０１０に備えられた無線ＬＡＮ  Ｉ／Ｆ２１００の状態が無効である場合は、Ｓ５０５において、通常の動作を実行する。そのため、ＣＰＵ２０１０は、操作パネル２１２０の表示部には特にＵＳＢ機器３０００の推奨設置場所を表示することなく、通常の動作を実行する。
Ｓ５０２でＵＳＢ機器３０００の接続を検知しない場合も、Ｓ５０５において、ＣＰＵ２０１０は、操作パネル２１２０の表示部には特にＵＳＢ機器３０００の設置禁止領域は表示することなく、通常の動作を実行する。
また、Ｓ５０３で、ＵＳＢ機器３０００が接続されても、ＵＳＢ３．０に対応したバス速度で動作させない場合も、ＣＰＵ２０１０は、操作パネル２１２０の表示部に特にＵＳＢ機器３０００の設置禁止領域を表示することなく、通常の動作を実行する。
【実施例３】
【００２７】
次に、図６のフローチャートを用いて、実施例３について説明する。
本処理も、ＣＰＵ２０１０がＲＯＭ２０３０などに格納されたプログラムを読み出して実行することにより実現される。
【００２８】
プリンタ１０１０にＵＳＢ機器３０００が接続されると、Ｓ６０１において、ＣＰＵ２０１０は、ＵＳＢ機器３０００が接続されたことを検知する。
Ｓ６０２において、ＣＰＵ２０１０は、接続されたＵＳＢ機器３０００が３．０規格の対応の機器であるか否かを判定する。
接続されたＵＳＢ機器３０００がＵＳＢ３．０に対応する機器であれば、それに対応したバス速度で動作させる。
【００２９】
さらに、ＵＳＢ３．０で動作させる場合、Ｓ６０３において、操作パネル２１２０に備えられた表示部に、接続されたＵＳＢ機器３０００の設置禁止領域を通知させる。
通知の態様としては、例えば図９（ｂ）に示されるように、「接続したＵＳＢ機器は、点線で示す場所近傍には設置しないでください」というメッセージとともに、印刷装置に対して配置禁止領域を具体的に示す図をあわせて表示させる。
【００３０】
なお、Ｓ６０１において、ＵＳＢ機器３０００の接続を検知しない場合、Ｓ６０４において、ＣＰＵ２０１０は、操作パネル２１２０の表示部には特にＵＳＢ機器３０００の設置禁止領域は表示することなく、通常の動作を実行する。
また、ＵＳＢ機器３０００が接続されても、ＵＳＢ３．０に対応したバス速度で動作させない場合も、Ｓ６０４において、ＣＰＵ２０１０は、操作パネル２１２０の表示部に特にＵＳＢ機器３０００の設置禁止領域を表示することなく、通常の動作を実行する。
【実施例４】
【００３１】
次に、図７のフローチャートを用いて、実施例４について説明する。
本処理も、ＣＰＵ２０１０がＲＯＭ２０３０などに格納されたプログラムを読み出して実行することにより実現される。
【００３２】
プリンタ１０１０にＵＳＢ機器３０００が接続されると、Ｓ７０１において、ＣＰＵ２０１０は、ＵＳＢ機器３０００が接続されたことを検知する。
Ｓ７０２において、ＣＰＵ２０１０は、接続されたＵＳＢ機器３０００が３．０規格の対応の機器であるか否かを判定する。
接続されたＵＳＢ機器３０００がＵＳＢ３．０に対応する機器であれば、それに対応したバス速度で動作させる。さらに、ＵＳＢ３．０で動作させる場合、Ｓ７０３において、ＣＰＵ２０１０は、接続されたＵＳＢ機器３０００のＶＩＤ（Vendor ID）やＰＩＤ（Product ID）などの機器情報を取得する。取得後、機器情報をプリンタ１０１０内の記憶装置２０４０などの不揮発性の記憶装置に格納する。
【００３３】
Ｓ７０４において、ＣＰＵ２０１０は、Ｓ７０３で取得したＵＳＢ機器３０００の機器情報から、ＵＳＢ機器３０００を判定する。
Ｓ７０４での判定の結果、接続されたＵＳＢ機器３０００がカードリーダであると判定すると、Ｓ７０５において、ＣＰＵ２０１０は、プリンタ１０１０上部に設置可能と判断する。
【００３４】
さらに、Ｓ７０７において、ＣＰＵ２０１０は、操作パネル２１２０に備えられた表示部に、接続されたＵＳＢ機器３０００の推奨設置場所を通知させる。
通知の態様としては、例えば図９（ａ）に示されるように、「接続したＵＳＢ機器は、点線で示す場所に設置してください」というメッセージとともに、ＵＳＢ機器３０００の推奨設置場所を表示する。
【００３５】
Ｓ７０４で接続されたＵＳＢ機器３０００がカードリーダでないと判定した場合、Ｓ７０８において、ＣＰＵ２０１０は、ＵＳＢ機器３０００がタッチパネルディスプレイであるか否かを判定する。
ＵＳＢ機器３０００がタッチパネルディスプレイであると判定すると、Ｓ７０９において、ＣＰＵ２０１０は、ＵＳＢ機器３０００をプリンタ１０１０の上部には設置不可と判断する。
【００３６】
そして、Ｓ７１０において、ＣＰＵ２０１０は、操作パネル２１２０に備えられた表示部に、接続されたＵＳＢ機器３０００の設置推奨領域を通知させる。
通知の態様としては、例えば図９（ｄ）に示されるように、「接続したＵＳＢ機器は、点線で示した側に設置してください」というメッセージとともに、プリンタ１０１０の側面部を推奨設置場所として表示する。
【００３７】
なお、本実施例においては、接続されたＵＳＢ機器３０００として、カードリーダとタッチパネルディスプレイを挙げている。しかし、取得したＩＤにより機器の種類の判定が可能であれば、前記以外のＵＳＢ機器についても、プリンタ上部への設置が可能か否かの判断が可能であることは言うまでもない。
【００３８】
なお、実施例１などと同様に、Ｓ７０１においてＵＳＢ機器３０００の接続を検知しない場合、Ｓ７０６において、ＣＰＵ２０１０は、操作パネル２１２０の表示部に特にＵＳＢ機器３０００の設置禁止領域を表示することなく、通常の動作を実行する。
ＵＳＢ機器３０００が接続されても、ＵＳＢ３．０に対応したバス速度で動作させない場合も、ＣＰＵ２０１０は、Ｓ７０６において、操作パネル２１２０の表示部に特にＵＳＢ機器３０００の設置禁止領域を表示することなく、通常の動作を実行する。
また、本実施例では、接続されたＵＳＢ機器３０００がカードリーダやタッチパネルディスプレイ以外のものである場合も、Ｓ７０６において、操作パネル２１２０の表示部に特にＵＳＢ機器３０００の設置禁止領域を表示することなく、通常の動作を実行する。
【実施例５】
【００３９】
次に、図８のフローチャートを用いて、実施例５について説明する。
本処理も、ＣＰＵ２０１０がＲＯＭ２０３０などに格納されたプログラムを読み出して実行することにより実現される。
【００４０】
プリンタ１０１０にＵＳＢ機器３０００が接続されると、Ｓ８０１において、ＣＰＵ２０１０は、ＵＳＢ機器３０００が接続されたことを検知する。
Ｓ８０２において、ＣＰＵ２０１０は、接続されたＵＳＢ機器３０００が３．０規格に対応する機器であるか否かを判定する。
接続されたＵＳＢ機器３０００がＵＳＢ３．０対応の機器であれば、それに対応したバス速度で動作させる。さらに、ＵＳＢ３．０で動作させる場合、Ｓ８０３において、ＣＰＵ２０１０は、接続されたＵＳＢ機器３０００のＶＩＤ（Vendor ID）やＰＩＤ（Product ID）などの機器情報を取得する。取得後、機器情報をプリンタ１０１０内の記憶装置２０４０などの不揮発性の記憶装置に格納する。
【００４１】
次に、Ｓ８０４において、ＣＰＵ２０１０は、Ｓ８０３で取得したＵＳＢ機器３０００の機器情報から、接続されたＵＳＢ機器３０００が、すでにプリンタ１０１０に設置されているＵＳＢ機器と種類が異なるものであるか否かを判定する。
接続されたＵＳＢ機器３０００がすでに設置されているＵＳＢ機器とは異なる場合、Ｓ８０５において、ＣＰＵ２０１０は、操作パネル２１２０に備えられた表示部に、接続されたＵＳＢ機器３０００の設置禁止領域または第２の推奨設置場所を通知させる。
通知の態様としては、例えば図９（ｃ）に示すように、「接続したＵＳＢ機器は、点線で示す場所に設置してください」というメッセージとともに、印刷装置の場所を具体的に示す図をあわせて表示する。
【００４２】
なお、接続されたＵＳＢ機器３０００がすでに設置されているＵＳＢ機器と同種であると判断した場合、Ｓ８０６において、ＣＰＵ２０１０は、操作パネル２１２０の表示部に特にＵＳＢ機器３０００の設置禁止領域を表示することなく、通常の動作を実行する。
また、実施例１などと同様に、Ｓ８０１でＵＳＢ機器３０００の接続を検知しない場合も、Ｓ８０６において、ＣＰＵ２０１０は、操作パネル２１２０の表示部に特にＵＳＢ機器３０００の設置禁止領域を表示することなく、通常の動作を実行する。
また、Ｓ８０２で、ＵＳＢ機器３０００が接続されても、ＵＳＢ３．０に対応したバス速度で動作させない場合は、Ｓ８０６において、操作パネル２１２０の表示部に特にＵＳＢ機器３０００の設置禁止領域を表示することなく、通常の動作を実行する。
【００４３】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。すなわち、上述した各実施例及びその変形例を組み合わせた構成もすべて本発明に含まれるものである。
【符号の説明】
【００４４】
１０１０      印刷装置
２０１０      ＣＰＵ
２１００      無線ＬＡＮ  Ｉ／Ｆ
２１２０      操作パネル
２１３０      ＵＳＢ（Ａ）Ｉ／Ｆ
３０００      ＵＳＢ機器
【図１】
2019181868.tif 000003
【図２】
2019181868.tif 000004
【図３】
2019181868.tif 000005
【図４】
2019181868.tif 000006
【図５】
2019181868.tif 000007
【図６】
2019181868.tif 000008
【図７】
2019181868.tif 000009
【図８】
2019181868.tif 000010
【図９】
2019181868.tif 000011
【図１０】
2019181868.tif 000012